(57)【要約】【課題】  設備装置が設置される家屋の入居者が入れ替わる場合に、退去した入居者による遠隔操作を確実に無効にすることができる技術を提供する。【解決手段】  設備装置は、表示部と、機能実行部と、制御部と、を備えている。制御部は、認証情報をメモリに記憶可能であり、端末装置から、メモリに記憶されている認証情報と一致する認証情報と、機能実行指示と、を受信する場合に、機能実行部に特定の機能を実行させるように構成されている。制御部は、停電から復帰したことを検知可能であり、メモリに第１の認証情報が記憶されている状態で、停電から復帰したことを検知する場合に、第１の認証情報を変更するのか否かをユーザに選択させるための選択画面を表示部に表示し、選択画面において、第１の認証情報を変更させることがユーザによって選択される場合に、メモリに記憶されている第１の認証情報を消去し、第２の認証情報をメモリに記憶する。【選択図】図４
2019022150.tif 000002
【特許請求の範囲】
【請求項１】
表示部と、
特定の機能を実行可能な機能実行部と、
メモリを備える制御部と、を備えており、
前記制御部は、
認証情報を前記メモリに記憶可能であり、
端末装置から、前記メモリに記憶されている前記認証情報と一致する認証情報と、機能実行指示と、を受信する場合に、前記機能実行部に前記特定の機能を実行させるように構成されており、
前記制御部は、
停電から復帰したことを検知可能であり、
前記メモリに第１の前記認証情報が記憶されている状態で、停電から復帰したことを検知する場合に、前記第１の認証情報を変更するのか否かをユーザに選択させるための選択画面を前記表示部に表示し、
前記選択画面において、前記第１の認証情報を変更させることが前記ユーザによって選択される場合に、前記メモリに記憶されている前記第１の認証情報を消去し、前記第１の認証情報とは異なる第２の前記認証情報を前記メモリに記憶する、設備装置。
【請求項２】
前記制御部が停電から復帰したことを検知する場合に、前記選択画面を前記表示部に表示させるのか否かを設定するための操作設定部を備える、請求項１に記載の設備装置。
【発明の詳細な説明】
【技術分野】
【０００１】
本明細書で開示する技術は、設備装置に関する。
【背景技術】
【０００２】
特許文献１には、表示部と、特定の機能を実行可能な機能実行部と、制御部と、を備える設備装置が開示されている。制御部は、センター装置から発行される認証情報を記憶可能である。制御部は、認証情報を端末装置に送信する。センター装置は、端末装置から、発行済みの認証情報と一致する認証情報と、機能実行指示と、を受信する場合に、機能実行指示を設備装置の制御部に送信する。制御部は、端末装置から、センター装置を介して、機能実行指示を受信する場合に、機能実行部に特定の機能を実行させるように構成されている。設備装置が設置されている家屋の入居者は、当該入居者が所有する端末装置を利用して、設備装置を遠隔操作することができる。
【先行技術文献】
【特許文献】
【０００３】
【特許文献１】特開２００６−２７９８２９号公報
【発明の概要】
【発明が解決しようとする課題】
【０００４】
設備装置が設置されている家屋の入居者が変わる場合がある。この場合、当該家屋を退去した入居者（以下では、「前入居者」と呼ぶ）による設備装置の遠隔操作を不可能な状態にする必要がある。特許文献１において、センター装置は、前入居者が退去した後に、発行済みの認証情報を無効にする。これにより、前入居者による設備装置の遠隔操作が不可能な状態になる。しかしながら、新しい入居者（以下では、「新入居者」と呼ぶ）が入居した際に、センター装置において、発行済みの認証情報が未だ無効にされていない場合がある。この場合、前入居者によって、設備装置が遠隔操作されてしまう。
【０００５】
本明細書では、設備装置が設置されている家屋の入居者が入れ替わった後に、退去した入居者による遠隔操作を確実に無効にすることができる技術を提供する。
【課題を解決するための手段】
【０００６】
本明細書に開示する設備装置は、表示部と、特定の機能を実行可能な機能実行部と、メモリを備える制御部と、を備えており、前記制御部は、認証情報を前記メモリに記憶可能であり、端末装置から、前記メモリに記憶されている前記認証情報と一致する認証情報と、機能実行指示と、を受信する場合に、前記機能実行部に前記特定の機能を実行させるように構成されており、前記制御部は、停電から復帰したことを検知可能であり、前記メモリに第１の前記認証情報が記憶されている状態で、停電から復帰したことを検知する場合に、前記第１の認証情報を変更するのか否かをユーザに選択させるための選択画面を前記表示部に表示し、前記選択画面において、前記第１の認証情報を変更させることが前記ユーザによって選択される場合に、前記メモリに記憶されている前記第１の認証情報を消去し、前記第１の認証情報とは異なる第２の前記認証情報を前記メモリに記憶してもよい。
【０００７】
設備装置が設置されている家屋の入居者が入れ替わる場合、前入居者が退去してから新入居者が入居するまでの間、設備装置への電力の供給は停止される。即ち、停電状態になる。上記の構成によると、制御部は、停電から復帰したことを検知する場合に、選択画面を表示部に表示する。そして、新入居者によって第１の認証情報を変更することが選択されると、制御部は、第１の認証情報を消去し、第２の認証情報をメモリに記憶させる。従って、制御部は、第２の認証情報をメモリに記憶させた後において、前入居者の端末装置から、第１の認証情報と、機能実行指示を受信しても、機能実行部に特定の機能を実行させない。即ち、新入居者が入居した後において、前入居者による設備装置の遠隔操作を確実に無効にすることができる。
【０００８】
設備装置は、制御部が停電から復帰したことを検知する場合に、選択画面を表示部に表示させるのか否かを設定するための操作設定部を備えてもよい。
【０００９】
入居者が入れ替わらない場合でも、設備装置への電力供給が停止される場合がある。例えば、計画停電の場合等である。このような状況において、停電から復旧する度に、表示部に選択画面が表示されると、入居者にとって煩わしい。上記の構成によると、入居者は、制御部が停電を検知した場合に、選択画面を表示部に表示させないことを選択することができる。従って、入居者が入れ替わっていない状況において、選択画面が不必要に表示されないようにすることができる。
【図面の簡単な説明】
【００１０】
【図１】実施例の遠隔操作システムの構成図である。
【図２】実施例に係る第１の遠隔操作設定が実行される場合（ケースＡ）のシーケンス図である。
【図３】実施例に係る携帯端末を利用した遠隔操作が実行される場合（ケースＢ）、及び、第１の停電から復帰する場合（ケースＣ）のシーケンス図である。
【図４】実施例に係る第２の遠隔操作設定が実行される場合（ケースＤ）のシーケンス図である。
【図５】実施例に係るリモコンに表示される画面の一例を示す図である。
【発明を実施するための形態】
【００１１】
（実施例）
図１に示すように、本実施例に係る遠隔操作システム２は、給湯システム４と、携帯端末１００、２００と、管理サーバ３００と、を備える。
【００１２】
（給湯システム４の構成）
給湯システム４は、給湯装置１０と、リモコン４０と、を備える。給湯装置１０は、タンクユニット１２と、ＨＰ（ヒートポンプ）ユニット１４と、ガスユニット１６と、給湯制御部２０と、を備える。
【００１３】
タンクユニット１２は、給湯用の温水をタンク（図示省略）に蓄えるとともに、タンクに蓄えられた水を給湯箇所（例えば、浴槽等）に供給するための供給ユニットである。タンクには、給湯経路が接続されており、給湯経路を介して、給湯箇所に温水が供給される。
【００１４】
ＨＰユニット１４は、ヒートポンプ（図示省略）を駆動させることで、外気から吸熱してタンク内の水を加熱するための加熱ユニットである。ヒートポンプとタンクは、蓄熱循環経路を介して接続されている。蓄熱循環経路は、タンク内の水を、ヒートポンプとタンクとの間で循環させる。これにより、タンク内の水が、ヒートポンプにおいて加熱されて、タンクユニット１２のタンクに戻される。
【００１５】
ガスユニット１６は、バーナ（図示省略）を用いて、給湯経路を流れる水を加熱する加熱ユニットである。ガスユニット１６は、タンクユニット１２から給湯箇所に至る給湯経路の途中に設けられている。
【００１６】
給湯制御部２０は、ＣＰＵ２２と、メモリ２４と、を備える。ＣＰＵ２２は、メモリ２４に記憶されているプログラムに従って、給湯装置１０の各構成要素（タンクユニット１２、ＨＰユニット１４、ガスユニット１６）の動作を制御して、給湯装置１０に後述する湯張り運転等を実行させることができる。
【００１７】
リモコン４０は、給湯装置１０と通信可能である。また、リモコン４０は、無線ＬＡＮルータ６０との無線接続が確立されている状態において、無線ＬＡＮルータ６０を介して、インターネット８に接続可能である。リモコン４０は、表示部４２と、操作部４４と、リモコン制御部５０と、を備える。表示部４２は、様々な情報を表示するためのディスプレイである。操作部４４は、複数のボタンを備える。例えば、操作部４４は、選択ボタン４４ａと、確認ボタン４４ｂと、を備える（図５参照）。ユーザは、操作部４４を操作することによって、様々な指示をリモコン４０に入力することができる。様々な指示とは、例えば、後述する湯張り運転を給湯装置１０に実行させるための指示である。また、ユーザは、操作部４４を操作することによって、現在日時Ｔｃを設定することができる。なお、以下では、表示部４２及び操作部４４を総称して、「リモコン操作部」と呼ぶことがある。
【００１８】
リモコン制御部５０は、ＣＰＵ５２と、メモリ５４と、を備える。メモリ５４には、現在日時Ｔｃが記憶されている。また、メモリ５４には、リモコン４０と通信可能な給湯装置１０の識別情報「ＸＸＸ」が記憶されている。識別情報「ＸＸＸ」は、給湯装置１０に予め割り当てられている情報であり、給湯装置１０に固有の情報である。識別情報は、例えば、給湯装置１０の製造番号である。ＣＰＵ５２は、メモリ５４に記憶されているプログラムに従って、認証情報を生成し、当該認証情報をメモリ５４に記憶させる。認証情報は、後述する給湯アプリ１１６を利用して、給湯装置１０を遠隔操作する際に利用される情報である。
【００１９】
（湯張り運転）
続いて、給湯装置１０によって実行される湯張り運転について説明する。湯張り運転は、給湯箇所である浴槽に温水を供給するための運転である。ＣＰＵ２２は、ヒートポンプを駆動させることで、タンク内の水を加熱し、温水を浴槽に供給する。なお、ＣＰＵ２２は、タンクから浴槽に供給される水の温度が給湯設定温度よりも低い場合、バーナを駆動させることで、給湯設定温度に加熱された水を給湯箇所に供給する。浴槽に所定量の温水が供給されると湯張り運転は終了する。
【００２０】
（携帯端末１００、２００の構成）
携帯端末１００は、携帯電話、スマートフォン等の可搬型の端末装置である。携帯端末１００は、インターネット８にアクセス可能である。携帯端末１００は、表示部１０２と、端末制御部１１０と、を備える。表示部１０２は、様々な情報を表示するためのディスプレイであり、いわゆるタッチパネル（即ち操作部）としても機能する。端末制御部１１０は、ＣＰＵ１１２と、メモリ１１４と、を備える。ＣＰＵ１１２は、メモリ１１４に記憶されているプログラムに従って、携帯端末１００の動作を制御する。メモリ１１４には、給湯アプリ１１６が格納されている。給湯アプリ１１６は、例えば、インターネット８上のサーバ（図示省略）から携帯端末１００にインストールされる。給湯アプリ１１６は、給湯装置１０の製造元によって提供されるアプリケーションである。給湯アプリ１１６は、ユーザがリモコン４０のリモコン操作部を操作することなく、給湯装置１０に様々な指示を送信するためのアプリケーションである。即ち、給湯アプリ１１６は、給湯装置１０を遠隔操作するためのアプリケーションである。例えば、携帯端末１００のユーザは、給湯アプリ１１６を利用して、給湯装置１０に湯張り運転を実行させるための指示（以下では、「湯張り指示」と呼ぶ）を送信することができる。携帯端末２００は、携帯端末１００と同様の構成を有する。なお、以下では、携帯端末１００を利用するユーザを「第１のユーザ」と呼び、携帯端末２００を利用するユーザを、「第２のユーザ」と呼ぶ。
【００２１】
（管理サーバ３００の構成）
管理サーバ３００は、給湯システム４の製造元によって提供されるサーバである。管理サーバ３００は、サーバ制御部３１０を備える。サーバ制御部３１０は、ＣＰＵ３１２と、メモリ３１４と、を備える。メモリ３１４には、管理テーブル３１６が記憶されている。管理テーブル３１６では、識別情報と、認証情報と、が対応付けられている。
【００２２】
（第１の遠隔操作設定（ケースＡ）；図２）
続いて、図２を参照して、第１のユーザが、携帯端末１００を利用して、給湯装置１０を遠隔操作するための設定（以下では、「遠隔操作設定」と呼ぶ）を実行する際の処理について説明する。ケースＡでは、過去に遠隔操作設定が実行された実績がない状況を想定している。このため、図２の初期状態では、管理テーブル３１６に、給湯装置１０の識別情報「ＸＸＸ」、及び、当該識別情報に対応する認証情報は記憶されていない（図２の設定前の状態）。以下では、理解のし易さを考慮して、ＣＰＵ２２、５２、１１２、３１２によって実行される処理を説明する際に、ＣＰＵを主体として記載せずに、装置（給湯装置１０、リモコン４０、携帯端末１００、管理サーバ３００）を主体として記載する。
【００２３】
まず、Ｔ１０において、第１のユーザは、リモコン４０と無線ＬＡＮルータ６０との間の無線接続を確立するための無線接続操作を実行する。具体的には、第１のユーザは、ＷＰＳ（Wi-Fi Protected Setupの略）を利用して、リモコン４０と無線ＬＡＮルータ６０との間の無線接続を確立する。ＷＰＳは、無線接続を確立するための無線設定情報（例えば、ＳＳＩＤ、パスワード等）がユーザによって入力されなくても、一対の機器の間に簡単に無線接続を確立することができる技術である。リモコン４０は、無線ＬＡＮルータ６０との無線接続が確立されると、無線ＬＡＮルータ６０を介して、インターネット８にアクセス可能になる。
【００２４】
リモコン４０は、無線ＬＡＮルータ６０との無線接続が確立されると、Ｔ１２において、認証情報「Ａ１」を生成し、Ｔ１４において、表示部４２に認証情報「Ａ１」を表示する。これにより、第１のユーザは、認証情報「Ａ１」を確認することができる。リモコン４０は、例えば、ランダムに文字列を選択することによって認証情報「Ａ１」を生成してもよいし、給湯システム４の識別情報「ＸＸＸ」等を利用して認証情報を生成してもよい。そして、Ｔ１６において、リモコン４０は、無線ＬＡＮルータ６０を介して、給湯装置１０の識別情報「ＸＸＸ」を携帯端末１００に送信し、Ｔ１８において、認証情報「Ａ１」をメモリ５４に記憶させる。
【００２５】
携帯端末１００は、Ｔ１６において、識別情報「ＸＸＸ」を受信すると、Ｔ２０において、表示部１０２に認証情報入力画面を表示する。Ｔ２２において、第１のユーザは、表示部１０２を操作して、リモコン４０の表示部４２に表示されている認証情報「Ａ１」を認証情報入力画面に入力する。この場合、Ｔ２４において、携帯端末１００は、Ｔ１６で受信した識別情報「ＸＸＸ」、及び、Ｔ２２で入力された認証情報「Ａ１」を、管理サーバ３００に送信する。そして、Ｔ２６において、携帯端末１００は、識別情報「ＸＸＸ」及び認証情報「Ａ１」を関連付けてメモリ１１４に記憶する。
【００２６】
管理サーバ３００は、Ｔ２４において、識別情報「ＸＸＸ」及び認証情報「Ａ１」を受信すると、Ｔ３０において、識別情報「ＸＸＸ」及び認証情報「Ａ１」を関連付けて管理テーブル３１６に登録する（図２の設定後の状態）。これにより、リモコン４０のメモリ５４、携帯端末１００のメモリ１１４、及び、管理サーバ３００のメモリ３１４に、識別情報「ＸＸＸ」及び認証情報「Ａ１」が記憶されている状態になる。以上により、遠隔操作設定が完了する。
【００２７】
（遠隔操作（ケースＢ）；図３）
続いて、図３を参照して、第１のユーザが、給湯アプリ１１６を利用して、給湯装置１０に対する遠隔操作を実行する処理について説明する。図３の初期状態は、図２の後の状態、即ち、遠隔操作設定が完了している状態である。本ケースでは、第１のユーザが外出している状況を想定している。
【００２８】
Ｔ１００において、第１のユーザは、携帯端末１００を操作して、給湯アプリ１１６を起動させ、湯張り実行操作を実行する。湯張り実行操作は、給湯装置１０に湯張り運転を実行させるための操作である。
【００２９】
Ｔ１０２において、携帯端末１００は、湯張り指示、識別情報「ＸＸＸ」、及び、認証情報「Ａ１」を管理サーバ３００に送信する。湯張り指示は、給湯装置１０に湯張り運転を実行させるための指示である。
【００３０】
管理サーバ３００は、Ｔ１０２で受信した識別情報「ＸＸＸ」及び認証情報「Ａ１」が、管理テーブル３１６に記憶されている識別情報「ＸＸＸ」及び認証情報「Ａ１」に一致すると判断し、Ｔ１１０において、湯張り指示の給湯システム４（詳細には、リモコン４０）への送信を許可する。そして、Ｔ１１２において、管理サーバ３００は、湯張り指示、識別情報「ＸＸＸ」、及び、認証情報「Ａ１」を、無線ＬＡＮルータ６０を介して、リモコン４０に送信する。なお、管理サーバ３００は、受信した識別情報及び認証情報が、管理テーブル３１６に記憶されている識別情報及び認証情報のいずれの組み合わせにも一致しない場合、湯張り指示のリモコン４０への送信を許可しない。
【００３１】
リモコン４０は、Ｔ１１２で受信した識別情報「ＸＸＸ」及び認証情報「Ａ１」が、メモリ５４に記憶されている識別情報「ＸＸＸ」、及び、認証情報「Ａ１」に一致すると判断し、Ｔ１１４において、湯張り指示を給湯装置１０に送信する。
【００３２】
給湯装置１０は、Ｔ１１４で湯張り指示を受信することに応じて、Ｔ１２０において、湯張り運転を実行する。これにより、第１のユーザは、第１のユーザが外出している状況でも、給湯装置１０に湯張り運転を実行させることができる。
【００３３】
（第１の停電発生時のシーケンス（ケースＣ）；図３）
続いて、図３を参照して、第１の停電が発生した後に実行される処理について説明する。第１の停電とは、例えば、計画停電であり、給湯システム４が電気的に接続されているブレーカ（図示省略）がＯＮ状態にも関わらず、給湯システム４への電力の供給が停止されている状態である。ケースＣの初期状態は、第１の停電が発生していることを除いて、ケースＢの初期状態と同様である。
【００３４】
停電復旧時刻Ｔｒにおいて、第１の停電が復旧する。この場合、給湯システム４への電力の供給が再開され、給湯装置１０及びリモコン４０の電源がＯＮする。停電が発生していた時間が所定時間（例えば、５分）よりも長い場合、リモコン４０に設定されている現在日時Ｔｃは、初期設定日時（例えば、「２０００年１月１日００時００分」）に戻る。本ケースでは、停電が２時間程度継続していた状況を想定している。このため、第１の停電が復旧した後において、現在日時Ｔｃは、初期設定日時に戻っている。
【００３５】
Ｔ２００において、リモコン４０は、停電から復帰したことを検知する。具体的には、リモコン４０は、リモコン４０に設定されている現在日時Ｔｃが初期設定日時であるため、停電から復帰したと判断する。
【００３６】
リモコン４０は、停電から復帰したと判断し、かつ、認証情報「Ａ１」がメモリ５４に記憶されている場合に、Ｔ２１０において、確認画面Ｓ１（図５（ａ）参照）を表示部４２に表示する。確認画面Ｓ１には、例えば、「新入居で入居者が変わる場合は、給湯アプリを利用するのに必要な認証情報を変更します。」というメッセージが表示される。第１のユーザは、確認画面Ｓ１に表示されているメッセージを確認すると、Ｔ２１２において、確認ボタン４４ｂを操作する。
【００３７】
リモコン４０は、第１のユーザによって確認ボタン４４ｂが操作されることに応じて、Ｔ２２０において、選択画面Ｓ２（図５（ｂ）参照）を表示部４２に表示する。選択画面Ｓ２には、入居者が変わったのか否かを選択するためのボタン（「はい」、及び、「いいえ」）が表示される。本ケースの場合、停電の前後で、入居者は変わっていない。このため、Ｔ２２２において、第１のユーザは、リモコン操作部を操作して、「いいえ」を選択する。
【００３８】
リモコン４０は、第１のユーザによって「いいえ」が選択されると、Ｔ２３０において、通常画面（図示省略）を表示部４２に表示する。通常画面は、例えば、湯張り指示を給湯装置１０に送信させる指示を入力することが可能な画面である。なお、第１のユーザは、リモコン操作部を操作することで、リモコン４０が停電から復帰したことを検知した場合であっても、確認画面Ｓ１、及び、選択画面Ｓ２を表示部４２に表示させないように、事前に設定しておくことができる。この場合、リモコン４０は、停電から復帰したことを検知する場合に、確認画面Ｓ１、及び、選択画面Ｓ２を表示部４２に表示することなく、通常画面を表示部４２に表示する。
【００３９】
（第２の遠隔操作設定シーケンス（ケースＤ）；図４）
続いて、図４を参照して、第２のユーザが、携帯端末２００を利用して、遠隔操作設定を実行する際の処理について説明する。ケースＤは、第１のユーザが退去した後に、第２のユーザが入居した状況を想定している。このため、図４の初期状態では、管理テーブル３１６に、給湯装置１０の識別情報「ＸＸＸ」、及び、当該識別情報に対応する認証情報「Ａ１」が記憶されている（図４の設定前の状態）。また、リモコン４０のメモリ５４には、認証情報「Ａ１」が記憶されている。また、図４の初期状態では、給湯システム４が電気的に接続されているブレーカがＯＦＦ状態に設定されており、給湯システム４への電力の供給が停止されている。即ち、給湯システム４は、停電状態である。また、第１のユーザによって設置されていた無線ＬＡＮルータとは異なる無線ＬＡＮルータ６０が第２のユーザによって設置されている。
【００４０】
Ｔ３００において、第２のユーザは、ブレーカをＯＦＦ状態からＯＮ状態に変更する。これにより、給湯システム４に電力が供給され、給湯装置１０及びリモコン４０の電源がＯＮする。入居者が第１のユーザから第２のユーザに変わる状況において、給湯システム４への電力の供給が停止されていた時間は、所定時間よりも長い。従って、リモコン４０に設定されている現在日時Ｔｃは、初期設定日時に戻っている。
【００４１】
Ｔ３０２は、図３のＴ２００と同様である。また、Ｔ３１０〜Ｔ３２０は、図３のＴ２１０〜Ｔ２２０と同様である。選択画面Ｓ２が表示されると、Ｔ３２２において、第２のユーザは、リモコン操作部を操作して、「はい」を選択する。
【００４２】
リモコン４０は、第２のユーザによって「はい」が選択されると、Ｔ３２４において、メモリ５４に記憶されている認証情報を変更する。具体的には、リモコン４０は、認証情報「Ａ１」をメモリ５４から消去し、新たな認証情報「Ａ２」をメモリ５４に記憶させる。そして、Ｔ３３０において、リモコン４０は、変更完了画面Ｓ３（図５（ｃ）参照）を表示部４２に表示する。変更完了画面Ｓ３には、認証情報の変更が完了したことを示すメッセージ、及び、無線ＬＡＮルータ６０との無線接続の確立を促すメッセージが表示される。Ｔ３３２において、第２のユーザによって確認ボタン４４ｂが操作されると、Ｔ３３４において、リモコン４０は、通常画面を表示部４２に表示する。これにより、リモコン４０は、第１のユーザが所有する携帯端末１００から、管理サーバ３００及び無線ＬＡＮルータ６０を介して、識別情報「ＸＸＸ」、認証情報「Ａ１」、及び、湯張り指示を受信しても、給湯装置１０に湯張り指示を送信しない。即ち、この時点において、第１のユーザによる給湯装置１０の遠隔操作が無効化される。なお、リモコン４０は、画面Ｓ１〜Ｓ３が表示部４２に表示されている状態において、給湯装置１０に湯張り指示を送信するための操作等の通常操作がユーザによって実行されても、当該操作を受け付けない。即ち、画面Ｓ１〜Ｓ３が表示部４２に表示されている場合、画面Ｓ１〜Ｓ３に対する操作が優先される。
【００４３】
Ｔ３４０、Ｔ３４４、Ｔ３４６、Ｔ３５０〜Ｔ３６０は、認証情報「Ａ１」の代わりに認証情報「Ａ２」が利用される点を除いて、図２のＴ１０、Ｔ１４、Ｔ１６、Ｔ２０〜Ｔ３０と同様である。以上により、遠隔操作設定が完了する。従って、第２のユーザは、携帯端末２００を利用して、給湯装置１０を遠隔操作することができる。
【００４４】
上述のように、給湯システム４が設置されている家屋に入居している入居者が、第１のユーザから第２のユーザに変わる場合がある。第１のユーザによって、遠隔操作設定が実行された実績がある場合、第１のユーザが所有する携帯端末１００を利用した給湯装置１０の遠隔操作を無効化する必要がある。上記の構成によると、リモコン４０は、停電から復帰したことを検知する場合に、選択画面Ｓ２（図５（ｂ）参照）を表示部４２に表示する（図４のＴ３２０）。そして、新入居者である第２のユーザによって認証情報「Ａ１」を変更すること（図５（ｂ）の「はい」）が選択されると（図４のＴ３２２）、リモコン４０は、認証情報「Ａ１」を消去し、認証情報「Ａ２」をメモリ５４に記憶させる（図４のＴ３２４）。従って、リモコン４０は、認証情報「Ａ２」をメモリ５４に記憶させた後において、仮に、第１のユーザが所有する携帯端末１００から、認証情報「Ａ１」と、湯張り指示を受信しても、給湯装置１０に湯張り指示を送信しない。即ち、給湯装置１０は湯張り運転を実行しない。従って、第２のユーザが入居した後において、第１のユーザによる給湯装置１０の遠隔操作を確実に無効にすることができる。
【００４５】
また、リモコン４０は、停電から復帰したことを検知する場合に、選択画面Ｓ２を表示部４２に表示させるのか否かを設定するためのリモコン操作部を備えている。例えば、第１の停電のように、入居者が入れ替わらない場合でも、給湯システム４への電力供給が停止される場合がある。このような状況において、表示部４２に選択画面Ｓ２が表示されると、入居者にとって煩わしい。上記の構成によると、入居者が入れ替わっていない状態で、リモコン４０が停電を検知した場合に、選択画面Ｓ２を表示部４２に表示させないことを選択することができる。即ち、選択画面Ｓ２を不必要に表示させないようにすることができる。
【００４６】
（対応関係）
給湯システム４が、「設備装置」の一例である。給湯制御部２０及びリモコン制御部５０が、「制御部」の一例である。湯張り運転が、「特定の機能」の一例である。メモリ５４が、「メモリ」の一例である。タンクユニット１２、ＨＰユニット１４、及び、ガスユニット１６が、「機能実行部」の一例である。認証情報「Ａ１」、認証情報「Ａ２」が、それぞれ、「第１の認証情報」、「第２の認証情報」の一例である。表示部４２が、「表示部」の一例である。リモコン操作部が、「操作設定部」の一例である。
【００４７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００４８】
「設備装置」は、給湯システム４に限定されない。例えば、家屋に設置される暖房機器、調理機器等であってもよい。
【００４９】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５０】
２      ：遠隔操作システム
４      ：給湯システム
８      ：インターネット
１０    ：給湯装置
１２    ：タンクユニット
１４    ：ＨＰユニット
１６    ：ガスユニット
２０    ：給湯制御部
２２    ：ＣＰＵ
２４    ：メモリ
４０    ：リモコン
４２    ：表示部
４４    ：操作部
４４ａ  ：選択ボタン
４４ｂ  ：確認ボタン
５０    ：リモコン制御部
５２    ：ＣＰＵ
５４    ：メモリ
６０    ：無線ＬＡＮルータ
１００  ：携帯端末
１０２  ：表示部
１１０  ：端末制御部
１１２  ：ＣＰＵ
１１４  ：メモリ
１１６  ：給湯アプリ
２００  ：携帯端末
３００  ：管理サーバ
３１０  ：サーバ制御部
３１２  ：ＣＰＵ
３１４  ：メモリ
３１６  ：管理テーブル
【図１】
2019022150.tif 000003
【図２】
2019022150.tif 000004
【図３】
2019022150.tif 000005
【図４】
2019022150.tif 000006
【図５】
2019022150.tif 000007